(57)【特許請求の範囲】
【請求項１】
高い防塵性を有する素材で作られたワンピース形の本体から成り、クリーン度が高いクリーンルームへ入る際に、下重ね用ウエアに重ね着するものであり、
前記本体には、胴体部の首部分に一体に設けられ着用者の頭を覆うフード部と、肩部分の着用者の身体前側に形成され着用者の身体が通過可能な大きさの肩開口部と、足部の内股に形成され着用者の身体が通過可能な大きさの足開口部が設けられ、
前記肩開口部は前記本体の一方の肩から首回り付近の胸上部を通って他方の肩まで形成され両端部は腕部の上端付近まで達する切断線であり、前記肩開口部の上下に位置する端縁部には、前記肩開口部を開閉する係止部材である１本のスライドファスナが設けられ、
前記足開口部は前記本体の両足首と股部分を結んで連続した切断線であり、前記足開口部の両側に位置する端縁部には、前記足開口部を開閉する係止部材であるスライドファスナが設けられ、
前記本体は、着るときは前記足開口部を開いて上半身を前記足開口部の中に入れて着用し、脱ぐときは前記フード部を引き抜くようにして後ろ側に脱ぎ、前記肩開口部を開いて上半身を前記肩開口部から外に出して脱ぐことを特徴とするクリーンルーム用ウエア。
【請求項２】
前記クリーンルームウエアは、ポリトリメチレンテレフタレート製の高密度織物素材で作られている請求項１記載のクリーンルーム用ウエア。
【発明の詳細な説明】
【技術分野】
【０００１】
この発明は、クリーンルーム内等で着用され、発塵を防止するクリーンルーム用ウエアに関する。
【背景技術】
【０００２】
従来、医薬品の製造等が行われるクリーンルーム内では、人体から排出される埃を放出しないことが求められ、作業者は非発塵性の高い素材でできたクリーンルーム用ウエアを着用していた。このクリーンルーム用ウエアとしては、例えばワンピース形のものがある。例えば、特許文献１に開示されている吸汗性を有する防塵衣は、ワンピース形の本体にフード部が連続して設けられ、首の前から下腹部にかけてスライドファスナが設けられている。この防塵衣を着るときは、スライドファスナを開けた状態で、開いた本体の前部分からから両足をいれ、両腕を入れ、スライドファスナを閉めて着用する。脱ぐときは、スライドファスナを開けて本体の前部分から腕を引き抜き、足を引き抜いて脱ぐ。
【０００３】
また、特許文献２に開示されている防塵衣は、特許文献１と同様にワンピース形の本体に帽子部が設けられ、股下の内股部分にファスナ開口部が設けられ、股下から着脱可能に形成されたものである。
【特許文献１】実開昭６２−９７１１６号公報
【特許文献２】実開昭６２−１７０７１５号公報
【発明の開示】
【発明が解決しようとする課題】
【０００４】
上記特許文献１に開示されているクリーンルーム用ウエアは、着用するときには、ウエアを下に置いて足から入れて履くように着用するので、身体の菌や埃を撒き散らしながら着用するということになり、ウエアが汚染される可能性が高いものであった。また、胸部や腹部に着脱用のスライドファスナがあるため、作業の邪魔になり、クリーンルームで扱っていた菌類や薬剤等の粉体が付着しやすくなるという問題があった。
【０００５】
また、特許文献２のウエアの場合、股下から着用することにより、ウエア表面を床に付けずに着用することが出来るが、脱ぐときに、着用中にウエア表面に付いた菌や有害物質が身体に着いてしまう危険があった。従って、特に外部に漏れていけない薬剤や菌を取り扱うクリーンルームにおける高度な汚染対策には対応することができなかった。
【０００６】
この発明は、上記従来の技術の問題点に鑑みてなされたものであり、着脱が容易であり、着用時に汚染が少なく、脱ぐ際にも頭部や顔への菌類や粉体の付着が無く、安全性やクリーン度の高い着脱を可能にするクリーンルーム用ウエアを提供することを目的とする。
【課題を解決するための手段】
【０００７】
本発明は、高い防塵性を有する素材で作られたワンピース形の本体から成り、クリーン度が高いクリーンルームへ入るときに下重ね用ウエアに重ね着するものであり、前記本体には、胴体部の首部分に一体に設けられ着用者の頭を覆うフード部と、肩部分の着用者の身体前側に形成され着用者の身体が通過可能な大きさの肩開口部と、足部の内股に形成され着用者の身体が通過可能な大きさの足開口部が設けられているクリーンルーム用ウエアである。
【０００８】
前記肩開口部は前記本体の一方の肩から首回り付近の胸上部を通って他方の肩まで形成され両端部は腕部の上端付近まで達する切断線であり、前記肩開口部の上下に位置する端縁部には、前記肩開口部を開閉する係止部材である１本のスライドファスナが設けられている。前記足開口部は前記本体の両足首と股部分を結んで連続した切断線であり、前記足開口部の両側に位置する端縁部には、前記足開口部を開閉する係止部材である１本のスライドファスナが設けられている。前記クリーンルーム用ウエアの前記本体は、着るときは前記足開口部を開いて上半身を前記足開口部の中に入れて着用し、脱ぐときは前記フード部を引き抜くようにして後ろ側に脱ぎ、前記肩開口部を開いて上半身を前記肩開口部から外に出して脱ぐものである。
【０００９】
また、前記クリーンルームウエアは、ポリトリメチレンテレフタレート製の高密度織物素材で作られたものである。
【発明の効果】
【００１０】
本発明のクリーンルーム用ウエアは、着脱が容易であり、クリーンルーム用ウエアを脱ぐ際の顔や頭部への菌類や粉体の付着を抑え、外部への汚染を抑え、作業者の不安やわずらわしさを解消することができる。さらに、股下の開口部から着用することにより、クリーンルーム用ウエアを着る際は床に接触しないため、高度な汚染対策に対応することができる。
【発明を実施するための最良の形態】
【００１１】
以下、この発明の実施形態について図面に基づいて説明する。図１〜図３はこの発明の一実施形態を示すもので、この実施形態のクリーンルーム用ウエア１０は、非発塵性、防塵性、通気性、耐久性に優れたポリトリメチレンテレフタレート製の高密度織物素材等で作られている。これはオートクレーブ処理における百数十℃の高温に耐え得る素材である。クリーンルーム用ウエア１０は、図１に示すようにワンピース形の本体１２が設けられ、本体１２は、一対の足部１２ａと、胴体部１２ｂ、一対の腕部１２ｃが一体に設けられている。
【００１２】
本体１２の肩部分の前側には、直線状の切断線である肩開口部１４がほぼ水平に両肩を結んで設けられている。肩開口部１４は、本体１２の両肩から首まわり付近の胸上部を通って形成され、両端部は腕部１２ｃの上端付近まで達し、着用する作業者２６の身体が通過可能な大きさに形成されている。肩開口部１４の上下に位置する端縁部には、肩開口部１４を開閉する係止部材であるスライドファスナ１６が設けられている。
【００１３】
本体１２の胴体部１２ｂの首部分には、頭を覆うフード部１８が一体に設けられている。フード部１８は、頭を覆う袋状に形成され、目の部分に開口部２０が設けられている。
【００１４】
本体１２の足部１２ａには、内股に沿って、両足首と股部分を結ぶ直線状の切断線である足開口部２２が設けられている。足開口部２２の両側に位置する端縁部には、足開口部２２を開閉する係止部材であるスライドファスナ２４が設けられている。足開口部２２は、着用する作業者２６の身体が通過可能な大きさに形成されている。
【００１５】
次に、この実施形態のクリーンルーム用ウエア１０の使用方法について説明する。クリーンルーム用ウエア１０は、例えば製剤室やバイオ実験室などクリーン度や密閉度が高いクリーンルームへ入るときに、下重ね用ウエア２８に重ね着するものである。クリーン度が高いクリーンルームへ入るとき、作業者２６はあらかじめ下重ね用ウエア２８を着用し、下重ね用ウエア２８の上にクリーンルーム用ウエア１０を重ねて着用する。クリーンルーム用ウエア１０を着るときは、図３に示すように、足部１２ａのスライドファスナ２４を開けて足開口部２２を開き、足開口部２２から上半身を中に入れて着用する。
【００１６】
一方、クリーンルーム用ウエア１０を脱ぐときは、図２に示すように、胴体部１２ｂと腕部１２ｃにかけて設けられたスライドファスナ１６を開けて、肩開口部１４を開く。この後、頭部からフード部１８を引き抜くようにしてフード部１８を後ろ側に脱ぎ、肩開口部１４から上半身を外に出してクリーンルーム用ウエア１０を脱ぐ。
【００１７】
この実施形態のクリーンルーム用ウエア１０によれば、簡単な構造で、着脱が容易であり、クリーンルーム用ウエア１０表面に付着した菌類や粉体が作業者２６に付着することを避けることができる。クリーンルーム用ウエア１０を脱ぐとき、作業者２６の身体の下方へクリーンルーム用ウエア１０を移動させて脱ぐため、脱ぐ動作が最小となり短時間であり、クリーンルーム用ウエア１０表面に付着している菌類や粉体等が顔に近づくことを避けることができ、安全である。脱ぐ動作には、フード部１８以外は顔を通過させることが無いため、閉塞感やわずらわしさもない。しかも、脱ぐ動作がシンプルであり、菌類や粉体等が飛散することが少ない。
【００１８】
さらに、クリーンルーム用ウエア１０の身体の腹部前側には、スライドファスナが設けられていないため作業の支障とならず、菌類や粉体の付着を抑えることができる。クリーンルーム用ウエア１０を着るときは、足開口部２２から上半身を入れるため、クリーンルーム用ウエア１０が床に触れることが無く、汚染されにくく衛生的である。フード部１８が一体になっているため、動き易くて快適であり、また作業者２６の首回りを保護することができる。クリーンルーム用ウエア１０は、運動量を考慮して設計され、衣服内の空気のポンピング現象を軽減することができる。また、クリーンルーム用ウエア１０は下重ね用ウエア２８と重ね着するが、クリーンルーム用ウエア１０の腕部１２ｃに腕を通したときの引っかかりや圧迫、重量感を解消する。
【００１９】
さらに、クリーンルーム用ウエア１０の素材はすべりがよいものであり、この点でも着脱が容易となる。また、オートクレーブ滅菌処理でも強度が低下しない素材で作られ、加水分解に強く耐久性が向上して初期着用時の状態を長期間にわたっての維持が可能である。オートクレーブ滅菌の繰り返しにもソフトな風合いを持続することができ、風合いが柔らかく着用快適性に優れている。
【００２０】
なお、この発明のクリーンルーム用ウエアは、上記の実施の形態に限定されるものではなく、素材は自由に変更可能である。また下重ね用ウエアに重ね着せず、１枚で着用してもよい。肩開口部の位置は適宜変更可能であり肩の前側以外に、肩の後ろ側に設けられてもよく、肩開口部の形状も直線以外に曲線や折れ線で形成されてもよい。足開口部の位置は適宜変更であり、内股に沿う直線以外に曲線や折れ線で形成されてもよく、股の前側を通過するものでもよい。各開口部を閉鎖する係止部材はスライドファスナ以外のものでもよく、開閉可能で確実に密閉されるものであればよい。
【図面の簡単な説明】
【００２１】
【図１】この発明の一実施形態のクリーンルーム用ウエアの着用状態の正面図である。
【図２】この実施形態のクリーンルーム用ウエアを脱ぐ工程を示す正面図である。
【図３】この実施形態のクリーンルーム用ウエアを着る工程を示す正面図である。
【符号の説明】
【００２２】
１０  クリーンルーム用ウエア
１２  本体
１２ａ  足部
１２ｂ  胴体部
１２ｃ  腕部
１４  肩開口部
１６，２４  スライドファスナ
１８  フード部
２２  足開口部
【図１】
0005317444.tif 000002
【図２】
0005317444.tif 000003
【図３】
0005317444.tif 000004